(57)【要約】【課題】製紙設備のドクターブレード用のホルダを支持体に着脱自在に取り付ける装置において、実質的により単純に作動させることができる固定手段を提供する。【解決手段】製紙設備内にあるドクターブレード用のホルダを着脱自在に固定する装置であって、ワイヤ、フェルトまたはペーパーウェブ用の支持ガイドローラにあてがわれたドクターブレードを作動装置によって支持ガイドローラに対する適切な位置にセットすることができ、更に、ドクターブレード用のホルダを支持ガイドローラの少なくとも実質的に軸方向にガイドによって当該ホルダの支持体上で移動させ且つ動作位置において支持体上に固定することができる。圧力ホースがドクターブレード用のホルダと支持体との間に配置される。圧力ホースによりドクターブレード用のホルダを支持体に固定することができる。【選択図】図１
2007217856.tif 000002
【特許請求の範囲】
【請求項１】
製紙設備内のドクターブレード用のホルダを着脱自在に固定する装置であって、前記ドクターブレードが、製紙設備のワイヤ、フェルト、またはペーパーウェブの支持ガイドローラと動作可能に関連付けられており、
前記支持ガイドローラに対する前記ドクターブレードの位置を設定する作動装置と、
前記ドクターブレードを保持するホルダであって、前記支持ガイドローラの少なくとも実質的に軸方向にガイドによって移動可能に当該ホルダの支持体上に取り付けられ且つ前記ドクターブレードの動作位置において前記支持体に固定可能なホルダと、
前記ドクターブレード用の前記ホルダと前記支持体との間に配置され、前記ドクターブレード用の前記ホルダを前記支持体に固定するように構成された圧力ホースと、を備える装置。
【請求項２】
前記ホルダ及び前記支持体には、互いにあてがわれ、前記支持ガイドローラの軸方向に延在し、前記ホルダ及び前記支持体から斜めに突出する細片が形成されており、前記圧力ホースを膨張させることによって前記細片を互いに固定することができる請求項１に記載の装置。
【請求項３】
前記ドクターブレード用の前記ホルダ及び前記ホルダの前記支持体が、互いにほぼ平行に向けられた板として形成され、これらの板には、軸方向に延在し、当該板から斜めに突出するガイド細片が形成され、前記圧力ホースが、これら２つの板の間且つ双方に配設されたガイド細片のペア２組の間に配置され、それらと平行に向けられた請求項１に記載の装置。
【発明の詳細な説明】
【技術分野】
【０００１】
本発明は、製紙設備のドクターブレード用のホルダを着脱自在に取り付ける装置に関する。設備内に配置された支持ガイドローラに割り当てられたワイヤ、フェルトまたはペーパーウェブ用のドクターブレードを、作動装置によって支持ガイドローラに対して適切な位置に固定することができる。更に、ドクターブレード用のホルダをホルダの支持体上で支持ガイドローラの少なくともほぼ軸方向にガイドによって移動させ且つ支持体上の動作位置に固定することができる。
【背景技術】
【０００２】
製紙設備には、設備に沿って支持ガイドローラ上を移動し製紙用パルプまたは紙原料が装着されるワイヤがある。ワイヤの移動方向に、紙原料に含まれる液体が紙原料から搾り出され、このように作成されたペーパーウェブは、空気がワイヤを通して吸い出されるときに乾燥される。更に、この設備にはフェルトがあり、このフェルト上でペーパーウェブは更に乾燥される。ワイヤ及びフェルトは両方とも支持ガイドローラ上を移動する。更に、支持ガイドローラのすぐ上をペーパーウェブが移動する。
【０００３】
紙原料から搾り出された液体及び乾燥操作のために紙原料またはペーパーウェブから排出された構成物質、特にパルプ繊維、は支持ガイドローラに達し、その繊維によって支持ガイドローラが汚れる。そのような汚染物によって支持ガイドローラの機能が損なわれるので、支持ガイドローラを継続的にクリーニングしなければならない。このために、支持ガイドローラには、それぞれ当該の支持ガイドローラと接触するドクターブレードがあてがわれ、これによりローラ上にある汚染物が除去される。
【発明の開示】
【発明が解決しようとする課題】
【０００４】
この場合、ドクターブレードが所定の圧力で当該のローラに当たるようにドクターブレードを調整する必要がある。このため、ドクターブレード用のホルダは、当該のローラに対するドクターブレードの角度位置を調整する装置を備えて構成される。更に、ドクターブレード用のホルダは、このホルダの支持体上に配置され、このホルダに着脱自在に固定されなければならない。ドクターブレードの角度位置を設定する装置を備えたドクターブレード用のホルダは、これらの構成要素をクリーニングできるように、取り替えられなければならないことも多く、ドクターブレード用のホルダの当該ホルダの支持体上への固定をできるだけ単純な方法で実現しまたは取り外しできるように形成する必要もある。
【０００５】
先行技術から、ドクターブレード用のホルダ及び当該ホルダの支持体に、互いにあてがわれるガイド細片を形成することが分かり、これらのガイド細片には取付ネジが配設され、これらのガイド細片は取付ネジによって互いに固定される。
【０００６】
本発明は、実質的により単純に作動させることができる固定手段を提供するという目的に基づき、その上に有効な固定が達成される。
【課題を解決するための手段】
【０００７】
上記及びその他の目的を考慮し、本発明によれば、製紙設備内にドクターブレード用のホルダを脱着自在に固定する装置が提供され、ドクターブレードは、製紙設備内のワイヤ、フェルト、およびペーパーウェブ用の支持ガイドローラと動作可能に関連付けられる。組立体は、支持ガイドローラに対するドクターブレードの位置を設定する作動装置と、ドクターブレードを保持するホルダであって、支持ガイドローラの少なくとも実質的に軸方向にガイドによって移動可能にホルダの支持体上に取り付けられ且つドクターブレードの動作位置において支持体上に固定可能なホルダと、ドクターブレード用のホルダと支持体との間に配置され且つドクターブレード用のホルダを支持体に固定するように構成された圧力ホースとを備える。
【０００８】
換言すると、本発明の目的は、ドクターブレード用のホルダと当該ホルダの支持体との間に圧力ホースが設けられることにより達成され、これにより、ドクターブレード用のホルダを当該ホルダの支持体に固定することができる。
【０００９】
ホルダ及び支持体には、互いにあてがわれ、支持ガイドローラの軸方向に延在し、ホルダ及び支持体から斜めに突出する細片を形成することが好ましく、その結果、圧力ホースを膨張させることにより細片を互いに固定することができる。この場合、ドクターブレード用のホルダ及び当該ホルダの支持体を、互いに実質的に平行に向けられた板として形成することができ、これらの板に、互いにあてがわれ、板から斜めに突出し、軸方向に延在するガイド細片を形成し、圧力ホースを、対向するガイド細片のペア２組の間に配置し、ガイド細片と平行に向けることができ、この圧力ホースは、２つの板の間に配置される。
【００１０】
クリーニングされたホルダがドクターブレードと共にガイド細片によってローラの軸方向の動作位置に押し込まれ次第、圧力ホースが膨張され、これによりドクターブレード用のホルダが当該ホルダの支持体に固定される。ホルダがドクターブレードと共に取り外され次第、圧力ホース内が減圧され、その結果、ホルダを支持体に対して移動させ実質的に支持体から取り外すことができる。そして、クリーニングされたホルダをドクターブレードと共に支持体に押し込み、圧力ホースによって支持体に固定することができる。
【００１１】
本発明の特徴と考えられる他の機能は、添付の特許請求の範囲に示す。
【発明の効果】
【００１２】
このように、本発明によれば、ドクターブレード用のホルダをホルダの支持体に固定するためのきわめて単純に作動できるがきわめて有効な手段が実現され、それにより、ドクターブレードと一緒にホルダを支持体から簡単に取り外し、きれいなホルダと交換することができる。
【発明を実施するための最良の形態】
【００１３】
本明細書において、本発明は、製紙設備内に配置されたドクターブレード用のホルダを着脱自在に固定する装置において実施するように示され説明されているが、本発明の趣旨から逸脱することなく特許請求の範囲の等価物の意図および範囲内にある様々な改良および構造変更を行うことができるので、本発明は示した詳細に限定されない。
【００１４】
しかしながら、本発明の構造および操作方法は、添付図面と共に読んだときに、更に他の目的および利点と共に、特定の実施形態の以下の説明から最もよく理解されるであろう。
【００１５】
次に図面を詳細に参照し、最初に特にその図１を参照すると、支持ガイドローラ１が示されており、この支持ガイドローラ１は製紙設備内のワイヤ、フェルトまたはペーパーウェブの下にある。ローラ１には、ドクターブレード２があてがわれ、このドクターブレード２は、ローラ１の表面と接触することができ、ローラ１の回転方向と逆方向に向けられている。ドクターブレード２によって、ワイヤ上の紙原料の脱水あるいはペーパーウェブの乾燥によって生じるローラ１の表面の汚染物が除去される。
【００１６】
ドクターブレード２は、ドクターブレード２用のホルダ３に固定される。ホルダ３には、ホルダ３とローラ１の表面に対するドクターブレード２の角度位置を設定可能とするために使用される作動装置が形成されている。ドクターブレード２用のホルダ３は、ホルダ３の支持体６に着脱自在に固定される。また、ホルダ３と支持体６との間には装置５があり、この装置５によって、ホルダ３を支持体６に簡単に固定し支持体６から取り外すことができる。支持体６は、シャフト７に固定され、このシャフト７は、ローラ１の軸方向に延在し、ロッドストレーナ８によって旋回位置にセットし前記位置に固定することができる。
【００１７】
次に図２を参照すると、作動装置４は、下側ハウジング部分４１と上側ハウジング部分４２とを有するハウジングを備える。上側ハウジング部分４２は、下側ハウジング部分４１上で旋回できるように継手４３によって取り付けられている。更に、上側ハウジング部分４２の自由端４４が、ドクターブレード２の上側に乗っている。ハウジング部分４１および４２内には、互いにある一定距離に配置されローラ１の軸方向に向けられた２本の膨張式ホース４５および４６があり、ホース４５および４６によって、ドクターブレード２が調整可能な圧力でローラ１の表面に乗るように上側ハウジング部分４２を下側ハウジング部分４１に対して旋回させることができる。
【００１８】
図２Ａを参照すると、ドクターブレード２用のホルダ３には、斜め下方に突出しローラ１の軸方向に向けられた２つの細片３１および３２が形成されており、細片３１および３２には、支持体６上に配置され斜め上方に突出する細片６１および６２があてがわれている。これらの対の細片３１、３２および６１、６２はガイドを構成し、このガイドによって、図１に双方向矢印によって示されるように、ローラ１の軸方向に支持体６に対してホルダ３を移動さることができる。このように、ホルダ３をドクターブレード２と共に、クリーニングするためにホルダ３の支持体６から外すことができ、またクリーニングされたホルダ３をドクターブレード２と共に支持体６に取り付けることができる。
【００１９】
ドクターブレード２用のホルダ３を支持体６に固定する装置５は、ホルダ３と支持体６との間で且つ互いにあてがわれた細片３１、６１と３２、６２との間に配置された圧力ホース５１によって形成される。圧力ホース５１が膨張され次第、ホルダ３が支持体６から持ち上がり、支持体６から斜めに突出する細片３１、６１及び３２、６２が互いに楔着され、これによりホルダ３が支持体６に固定される。圧力ホース５１内が減圧され次第、この固定が解消され、それによりホルダ３を支持体６に対して移動させ、支持体６から取り外すことができる。
【００２０】
このように、ドクターブレード２用のホルダ３をホルダ３の支持体６に固定する極めて単純に作動できるが極めて有効な手段が実現され、それにより、ドクターブレード２と共にホルダ３を支持体６から簡単に取り外し、きれいなホルダ３と交換することができる。
【図面の簡単な説明】
【００２１】
【図１】支持ガイドローラの不等角投影図であり、支持ガイドローラには、ホルダに固定されたドクターブレードがあてがわれ、ホルダは支持体に固定されている。
【図２】図１に示した構成要素の端面図である。
【図２Ａ】図２における細部Ａの拡大図である。
【符号の説明】
【００２２】
１    支持ガイドローラ
２    ドクターブレード
３    ホルダ
４    作動装置
５    装置
６    支持体
３１  細片
３２  細片
５１  圧力ホース
６１  細片
６２  細片
【図１】
2007217856.tif 000003
【図２】
2007217856.tif 000004
【図２Ａ】
2007217856.tif 000005